(57)【要約】【課題】  所定のアナログ信号を記録した記録媒体が不正に複製された場合に、その不正な複製の元となった記録媒体を特定することができるデータ処理装置を提供する。【解決手段】  配給元が、複数の正規複製フィルムを配給する前に、特徴登録装置３を用いて、上記複数の正規複製フィルムの特徴量を示す特徴量データを記憶装置４に登録する。そして、配給後に、不正複製フィルムを発見した場合に、判定装置を用いて、当該不正複製フィルムを基に生成した特徴量データと、上記予め登録した特徴量データとを基に、不正複製フィルムが上記複数の正規複製フィルムのうち何れの複製であるかを特定する。【選択図】      図２
2005151503.tif 000002
【特許請求の範囲】
【請求項１】
第１の記録媒体を複製して得られた複数の第２の記録媒体の各々について、前記第１の記録媒体から読み出された第１のアナログ信号と、当該第２の記録媒体から読み出された第２のアナログ信号との差異を示す特徴量データを生成する処理手段と、
前記処理手段が生成した前記特徴量データを、当該特徴量データに対応する前記第２の記録媒体を識別する情報と関連付けて記憶する記憶手段と
を有するデータ処理装置。
【請求項２】
前記処理手段は、前記第１の記録媒体および前記第２の記録媒体のアナログ信号の記録特性と前記複製で生じるノイズ信号との少なくとも一方に応じた前記差異を示す前記特徴量データを生成する
請求項１に記載のデータ処理装置。
【請求項３】
前記処理手段は、前記第１のアナログ信号をデジタル化した第１のデジタル信号と、前記第２のアナログ信号をデジタル化した第２のデジタル信号との差分を示す前記特徴量データを生成する
請求項１に記載のデータ処理装置。
【請求項４】
前記処理手段は、前記第１のデジタル信号に直交変換した値の絶対値と、前記第２のデジタル信号に直交変換した値の絶対値との差分を示す前記特徴量データを生成する
請求項１に記載のデータ処理装置。
【請求項５】
第１の記録媒体を複製して得られた複数の第２の記録媒体の各々について規定され、前記第１の記録媒体から読み出された第１のアナログ信号と、当該第２の記録媒体から読み出された第２のアナログ信号との差異を示す前記第１の特徴量データを記憶する記憶手段と、
被検信号と、前記第１のアナログ信号との差異を示す第２の特徴量データを生成する処理手段と、
前記記憶手段に記憶されている前記第１の特徴量データと前記処理手段が生成した前記第２の特徴量データとを基に、前記被検用の記録媒体が前記複数の第２の記録媒体のうち何れの前記第２の記録媒体の複製であるか否かを判定する判定手段と
を有するデータ処理装置。
【請求項６】
第１の記録媒体から読み出された第１のアナログ信号から得られた第１のＲ（赤），Ｇ（緑），Ｂ（青）信号を基に第１の輝度信号を生成し、前記第１の記録媒体を複製して得られた複数の第２の記録媒体の各々について、当該第２の記録媒体から読み出した第２のアナログ信号から得られた第２のＲ，Ｇ，Ｂ信号を基に第２の輝度信号を生成する輝度生成手段と、
前記複数の第２の記録媒体の各々について、前記輝度生成手段が生成した前記第１の輝度信号と前記第２の輝度信号との差異を示す特徴量データを生成する処理手段と、
前記処理手段が生成した前記特徴量データを、当該特徴量データに対応する前記第２の記録媒体を識別する情報と関連付けて記憶する記憶手段と
を有するデータ処理装置。
【請求項７】
第１の記録媒体を複製して得られた複数の第２の記録媒体の各々について規定され、前記第１の記録媒体から読み出された第１のアナログ信号から得られた第１の輝度信号と、当該第２の記録媒体から読み出した第２のアナログ信号から得られた第２の輝度信号との差異を示す前記第１の特徴量データを記憶する記憶手段と、
被検信号から得られた第３の輝度信号と、前記第１の輝度信号との差異を示す第２の特徴量データを生成する処理手段と、
前記記憶手段に記憶されている前記第１の特徴量データと前記処理手段が生成した前記第２の特徴量データとを基に、前記被検用の記録媒体が前記複数の第２の記録媒体のうち何れの前記第２の記録媒体の複製であるか否かを判定する判定手段と
を有するデータ処理装置。
【請求項８】
第１の記録媒体から読み出された第１のアナログ信号から得られた第１のＲ，Ｇ，Ｂ信号に、前記第１のＢ信号に対して前記第１のＲ信号および前記第１のＧ信号に比べて高い重み付けを施す処理を行って第１の輝度信号を生成し、前記第１の記録媒体を複製して得られた複数の第２の記録媒体の各々について、当該第２の記録媒体から読み出した第２のアナログ信号から得られた第２のＲ，Ｇ，Ｂ信号に、前記第２のＢ信号に対して前記第２のＲ信号および前記第２のＧ信号に比べて高い重み付けを施す処理を行って第２の輝度信号を生成する変換手段と、
前記変換手段が生成した第２の輝度信号の各々について、前記変換手段が生成した前記第１の輝度信号との差異を示す特徴量データを生成する処理手段と、
前記処理手段が生成した前記特徴量データを、当該特徴量データに対応する前記第２の記録媒体を識別する情報と関連付けて記憶する記憶手段と
を有するデータ処理装置。
【請求項９】
第１の記録媒体を複製して得られた複数の第２の記録媒体の各々について規定され、前記第１の記録媒体から読み出された第１のアナログ信号から得られた第１の輝度信号と、当該第２の記録媒体から読み出した第２のアナログ信号から得られた第２の輝度信号との差異を示す前記第１の特徴量データを記憶する記憶手段と、
被検信号から得られたＲ，Ｇ，Ｂ信号に、前記Ｂ信号に対して前記Ｒ信号および前記Ｇ信号に比べて高い重み付けを施す処理を行って被検用の輝度信号を生成する変換手段と、
前記変換手段が生成した前記被検用の輝度信号と、前記第１の輝度信号との差異を示す第２の特徴量データを生成する処理手段と、
前記記憶手段に記憶されている前記第１の特徴量データと前記処理手段が生成した第２の特徴量データとを基に、前記被検用の記録媒体が前記複数の第２の記録媒体のうち何れの前記第２の記録媒体の複製であるか否かを判定する判定手段と
を有するデータ処理装置。
【請求項１０】
第１の記録媒体を複製して得られた複数の第２の記録媒体の各々について、前記第１の記録媒体から読み出された第１のアナログ信号と、当該第２の記録媒体から読み出された第２のアナログ信号との差異を示す特徴量データを生成する第１の工程と、
前記第１の工程で生成した前記特徴量データを、当該特徴量データに対応する前記第２の記録媒体を識別する情報と関連付けて記憶する第２の工程と
を有するデータ処理方法。
【請求項１１】
第１の記録媒体を複製して得られた複数の第２の記録媒体の各々について規定され、前記第１の記録媒体から読み出された第１のアナログ信号と、当該第２の記録媒体から読み出された第２のアナログ信号との差異を示す前記第１の特徴量データを基に、被検用の記録媒体が前記複数の第２の記録媒体の何れの前記第２の記録媒体の複製であるかを判定するデータ処理方法であって、
被検信号と、前記第１のアナログ信号との差異を示す第２の特徴量データを生成する第１の工程と、
前記第１の特徴量データと前記第１の工程で生成した前記第２の特徴量データとを基に、前記被検用の記録媒体が前記複数の第２の記録媒体のうち何れの前記第２の記録媒体の複製であるか否かを判定する第２の工程と
を有するデータ処理方法。
【請求項１２】
第１の記録媒体から読み出された第１のアナログ信号から得られた第１のＲ，Ｇ，Ｂ信号を基に第１の輝度信号を生成し、前記第１の記録媒体を複製して得られた複数の第２の記録媒体の各々について、当該第２の記録媒体から読み出した第２のアナログ信号から得られた第２のＲ，Ｇ，Ｂ信号を基に第２の輝度信号を生成する第１の工程と、
前記複数の第２の記録媒体の各々について、前記第１の工程で生成した前記第１の輝度信号と前記第２の輝度信号との差異を示す特徴量データを生成する第２の工程と、
前記第２の工程で生成した前記特徴量データを、当該特徴量データに対応する前記第２の記録媒体を識別する情報と関連付けて記憶する第３の工程と
を有するデータ処理方法。
【請求項１３】
第１の記録媒体を複製して得られた複数の第２の記録媒体の各々について規定され、前記第１の記録媒体から読み出された第１のアナログ信号から得られた第１の輝度信号と、当該第２の記録媒体から読み出した第２のアナログ信号から得られた第２の輝度信号との差異を示す前記第１の特徴量データを基に、被検用の記録媒体が前記複数の第２の記録媒体の何れの前記第２の記録媒体の複製であるかを判定するデータ処理方法であって、
被検信号から得られた第３の輝度信号と、前記第１の輝度信号との差異を示す第２の特徴量データを生成する第１の工程と、
前記第１の特徴量データと前記第１の工程で生成した前記第２の特徴量データとを基に、前記被検用の記録媒体が前記複数の第２の記録媒体のうち何れの前記第２の記録媒体の複製であるか否かを判定する第２の工程と
を有するデータ処理方法。
【請求項１４】
第１の記録媒体から読み出された第１のアナログ信号から得られた第１のＲ，Ｇ，Ｂ信号に、前記第１のＢ信号に対して前記第１のＲ信号および前記第１のＧ信号に比べて高い重み付けを施す処理を行って第１の輝度信号を生成し、前記第１の記録媒体を複製して得られた複数の第２の記録媒体の各々について、当該第２の記録媒体から読み出した第２のアナログ信号から得られた第２のＲ，Ｇ，Ｂ信号に、前記第２のＢ信号に対して前記第２のＲ信号および前記第２のＧ信号に比べて高い重み付けを施す処理を行って第２の輝度信号を生成する第１の工程と、
前記第１の工程で生成した第２の輝度信号の各々について、前記変換手段が生成した前記第１の輝度信号との差異を示す特徴量データを生成する第２の工程と、
前記第２の工程で生成した前記特徴量データを、当該特徴量データに対応する前記第２の記録媒体を識別する情報と関連付けて記憶する第３の工程と
を有するデータ処理方法。
【請求項１５】
第１の記録媒体を複製して得られた複数の第２の記録媒体の各々について規定され、前記第１の記録媒体から読み出された第１のアナログ信号から得られた第１の輝度信号と、当該第２の記録媒体から読み出した第２のアナログ信号から得られた第２の輝度信号との差異を示す前記第１の特徴量データを基に、被検用の記録媒体が前記複数の第２の記録媒体の何れの前記第２の記録媒体の複製であるかを判定するデータ処理方法であって、
被検信号から得られたＲ，Ｇ，Ｂ信号に、前記Ｂ信号に対して前記Ｒ信号および前記Ｇ信号に比べて高い重み付けを施す処理を行って被検用の輝度信号を生成する第１の工程と、
前記第１の工程で生成した前記被検用の輝度信号と、前記第１の輝度信号との差異を示す第２の特徴量データを生成する第２の工程と、
前記第１の特徴量データと前記処理手段が生成した第２の特徴量データとを基に、前記被検用の記録媒体が前記複数の第２の記録媒体のうち何れの前記第２の記録媒体の複製であるか否かを判定する第３の工程と
を有するデータ処理方法。
【発明の詳細な説明】
【技術分野】
【０００１】
本発明は、所定のアナログ信号を記録した記録媒体が不正に複製された場合に、その不正な複製の元となった記録媒体を特定するためのデータ処理装置およびその方法に関する。
【背景技術】
【０００２】
例えば、映画のコンテンツを配給する場合に、そのコンテンツのビデオおよびオーディオに関するアナログ信号を記録したマスタフィルムＭＦを製作すると共に、そのマスタフィルムＭＦを複製して複数の正規の複製フィルムを製作する。そして、上記複数の正規の複製フィルムを、複数の劇場に配給する。
【発明の開示】
【発明が解決しようとする課題】
【０００３】
しかしながら、複製フィルムの配給を受けた劇場などが、その複製フィルムを基に、不正な複製フィルムを製作する場合がある。
従来では、このような不正な複製フィルムが発見された場合に、その不正な複製フィルムが、上記複数の正規の複製フィルムの何れを基に得られたかを特定できず、不正行為者を特定できない。
【０００４】
本発明は、上述した従来技術の問題点に鑑みて成され、所定のアナログ信号を記録した記録媒体が不正に複製された場合に、その不正な複製の元となった記録媒体を特定することができるデータ処理装置およびその方法を提供することを目的とする。
【課題を解決するための手段】
【０００５】
上述した従来の問題を解決し、上述した目的を達成するために、第１の発明のデータ処理装置は、第１の記録媒体を複製して得られた複数の第２の記録媒体の各々について、前記第１の記録媒体から読み出された第１のアナログ信号と、当該第２の記録媒体から読み出された第２のアナログ信号との差異を示す特徴量データを生成する処理手段と、前記処理手段が生成した前記特徴量データを、当該特徴量データに対応する前記第２の記録媒体を識別する情報と関連付けて記憶する記憶手段とを有する。
【０００６】
第１の発明のデータ処理装置の作用は以下のようになる。
先ず、処理手段が、第１の記録媒体を複製して得られた複数の第２の記録媒体の各々について、前記第１の記録媒体から読み出された第１のアナログ信号と、当該第２の記録媒体から読み出された第２のアナログ信号との差異を示す特徴量データを生成する。
次に、前記処理手段が、前記生成した前記特徴量データを、当該特徴量データに対応する前記第２の記録媒体を識別する情報と関連付けて記憶手段に記憶させる。
【０００７】
第２の発明のデータ処理装置は、第１の記録媒体を複製して得られた複数の第２の記録媒体の各々について規定され、前記第１の記録媒体から読み出された第１のアナログ信号と、当該第２の記録媒体から読み出された第２のアナログ信号との差異を示す前記第１の特徴量データを記憶する記憶手段と、被検信号と、前記第１のアナログ信号との差異を示す第２の特徴量データを生成する処理手段と、前記記憶手段に記憶されている前記第１の特徴量データと前記処理手段が生成した前記第２の特徴量データとを基に、前記被検用の記録媒体が前記複数の第２の記録媒体のうち何れの前記第２の記録媒体の複製であるか否かを判定する判定手段とを有する。
【０００８】
第２の発明のデータ処理装置の作用は以下のようになる。
先ず、処理手段が、被検信号と、前記第１のアナログ信号との差異を示す第２の特徴量データを生成する。
次に、判定手段が、記憶手段に記憶されている前記第１の特徴量データと前記処理手段が生成した前記第２の特徴量データとを基に、前記被検用の記録媒体が前記複数の第２の記録媒体のうち何れの前記第２の記録媒体の複製であるか否かを判定する。
【０００９】
第３の発明のデータ処理装置は、第１の記録媒体から読み出された第１のアナログ信号から得られた第１のＲ，Ｇ，Ｂ信号を基に第１の輝度信号を生成し、前記第１の記録媒体を複製して得られた複数の第２の記録媒体の各々について、当該第２の記録媒体から読み出した第２のアナログ信号から得られた第２のＲ，Ｇ，Ｂ信号を基に第２の輝度信号を生成する輝度生成手段と、前記複数の第２の記録媒体の各々について、前記輝度生成手段が生成した前記第１の輝度信号と前記第２の輝度信号との差異を示す特徴量データを生成する処理手段と、前記処理手段が生成した前記特徴量データを、当該特徴量データに対応する前記第２の記録媒体を識別する情報と関連付けて記憶する記憶手段とを有する。
【００１０】
第３の発明のデータ処理装置の作用は以下のようになる。
輝度生成手段が、第１の記録媒体から読み出された第１のアナログ信号から得られた第１のＲ，Ｇ，Ｂ信号を基に第１の輝度信号を生成し、前記第１の記録媒体を複製して得られた複数の第２の記録媒体の各々について、当該第２の記録媒体から読み出した第２のアナログ信号から得られた第２のＲ，Ｇ，Ｂ信号を基に第２の輝度信号を生成する。
次に、処理手段が、前記複数の第２の記録媒体の各々について、前記輝度生成手段が生成した前記第１の輝度信号と前記第２の輝度信号との差異を示す特徴量データを生成する。
そして、前記処理手段が、前記生成した前記特徴量データを、当該特徴量データに対応する前記第２の記録媒体を識別する情報と関連付けて記憶手段に記憶させる。
【００１１】
第４の発明のデータ処理装置は、第１の記録媒体を複製して得られた複数の第２の記録媒体の各々について規定され、前記第１の記録媒体から読み出された第１のアナログ信号から得られた第１の輝度信号と、当該第２の記録媒体から読み出した第２のアナログ信号から得られた第２の輝度信号との差異を示す前記第１の特徴量データを記憶する記憶手段と、被検信号から得られた第３の輝度信号と、前記第１の輝度信号との差異を示す第２の特徴量データを生成する処理手段と、前記記憶手段に記憶されている前記第１の特徴量データと前記処理手段が生成した前記第２の特徴量データとを基に、前記被検用の記録媒体が前記複数の第２の記録媒体のうち何れの前記第２の記録媒体の複製であるか否かを判定する判定手段とを有する。
【００１２】
第４の発明のデータ処理装置の作用は以下のようになる。
先ず、処理手段が、被検信号から得られた第３の輝度信号と、前記第１の輝度信号との差異を示す第２の特徴量データを生成する。
次に、判定手段が、記憶手段に記憶されている前記第１の特徴量データと前記処理手段が生成した前記第２の特徴量データとを基に、前記被検用の記録媒体が前記複数の第２の記録媒体のうち何れの前記第２の記録媒体の複製であるか否かを判定する。
【００１３】
第５の発明のデータ処理装置は、第１の記録媒体から読み出された第１のアナログ信号から得られた第１のＲ，Ｇ，Ｂ信号に、前記第１のＢ信号に対して前記第１のＲ信号および前記第１のＧ信号に比べて高い重み付けを施す処理を行って第１の輝度信号を生成し、前記第１の記録媒体を複製して得られた複数の第２の記録媒体の各々について、当該第２の記録媒体から読み出した第２のアナログ信号から得られた第２のＲ，Ｇ，Ｂ信号に、前記第２のＢ信号に対して前記第２のＲ信号および前記第２のＧ信号に比べて高い重み付けを施す処理を行って第２の輝度信号を生成する変換手段と、前記変換手段が生成した第２の輝度信号の各々について、前記変換手段が生成した前記第１の輝度信号との差異を示す特徴量データを生成する処理手段と、前記処理手段が生成した前記特徴量データを、当該特徴量データに対応する前記第２の記録媒体を識別する情報と関連付けて記憶する記憶手段とを有する。
【００１４】
第５の発明のデータ処理装置の作用は以下のようになる。
先ず、変換手段が、第１の記録媒体から読み出された第１のアナログ信号から得られた第１のＲ，Ｇ，Ｂ信号に、前記第１のＢ信号に対して前記第１のＲ信号および前記第１のＧ信号に比べて高い重み付けを施す処理を行って第１の輝度信号を生成し、前記第１の記録媒体を複製して得られた複数の第２の記録媒体の各々について、当該第２の記録媒体から読み出した第２のアナログ信号から得られた第２のＲ，Ｇ，Ｂ信号に、前記第２のＢ信号に対して前記第２のＲ信号および前記第２のＧ信号に比べて高い重み付けを施す処理を行って第２の輝度信号を生成する。
次に、処理手段が、前記変換手段が生成した第２の輝度信号の各々について、前記変換手段が生成した前記第１の輝度信号との差異を示す特徴量データを生成する。
次に、前記処理手段が、前記生成した前記特徴量データを、当該特徴量データに対応する前記第２の記録媒体を識別する情報と関連付けて記憶手段に記憶させる。
【００１５】
第６の発明のデータ処理装置は、第１の記録媒体を複製して得られた複数の第２の記録媒体の各々について規定され、前記第１の記録媒体から読み出された第１のアナログ信号から得られた第１の輝度信号と、当該第２の記録媒体から読み出した第２のアナログ信号から得られた第２の輝度信号との差異を示す前記第１の特徴量データを記憶する記憶手段と、被検信号から得られたＲ，Ｇ，Ｂ信号に、前記Ｂ信号に対して前記Ｒ信号および前記Ｇ信号に比べて高い重み付けを施す処理を行って被検用の輝度信号を生成する変換手段と、前記変換手段が生成した前記被検用の輝度信号と、前記第１の輝度信号との差異を示す第２の特徴量データを生成する処理手段と、前記記憶手段に記憶されている前記第１の特徴量データと前記処理手段が生成した第２の特徴量データとを基に、前記被検用の記録媒体が前記複数の第２の記録媒体のうち何れの前記第２の記録媒体の複製であるか否かを判定する判定手段とを有する。
【００１６】
第６の発明のデータ処理装置の作用は以下のようになる。
先ず、変換手段が、被検信号から得られたＲ，Ｇ，Ｂ信号に、前記Ｂ信号に対して前記Ｒ信号および前記Ｇ信号に比べて高い重み付けを施す処理を行って被検用の輝度信号を生成する。
次に、処理手段が、前記変換手段が生成した前記被検用の輝度信号と、前記第１の輝度信号との差異を示す第２の特徴量データを生成する。
次に、判定手段が、前記記憶手段に記憶されている前記第１の特徴量データと前記処理手段が生成した第２の特徴量データとを基に、前記被検用の記録媒体が前記複数の第２の記録媒体のうち何れの前記第２の記録媒体の複製であるか否かを判定する。
【００１７】
第７の発明のデータ処理方法は、第１の記録媒体を複製して得られた複数の第２の記録媒体の各々について、前記第１の記録媒体から読み出された第１のアナログ信号と、当該第２の記録媒体から読み出された第２のアナログ信号との差異を示す特徴量データを生成する第１の工程と、前記第１の工程で生成した前記特徴量データを、当該特徴量データに対応する前記第２の記録媒体を識別する情報と関連付けて記憶する第２の工程とを有する。
【００１８】
第８の発明のデータ処理方法は、第１の記録媒体を複製して得られた複数の第２の記録媒体の各々について規定され、前記第１の記録媒体から読み出された第１のアナログ信号と、当該第２の記録媒体から読み出された第２のアナログ信号との差異を示す前記第１の特徴量データを基に、被検用の記録媒体が前記複数の第２の記録媒体の何れの前記第２の記録媒体の複製であるかを判定するデータ処理方法であって、被検信号と、前記第１のアナログ信号との差異を示す第２の特徴量データを生成する第１の工程と、前記第１の特徴量データと前記第１の工程で生成した前記第２の特徴量データとを基に、前記被検用の記録媒体が前記複数の第２の記録媒体のうち何れの前記第２の記録媒体の複製であるか否かを判定する第２の工程とを有する。
【００１９】
第９の発明のデータ処理方法は、第１の記録媒体から読み出された第１のアナログ信号から得られた第１のＲ，Ｇ，Ｂ信号を基に第１の輝度信号を生成し、前記第１の記録媒体を複製して得られた複数の第２の記録媒体の各々について、当該第２の記録媒体から読み出した第２のアナログ信号から得られた第２のＲ，Ｇ，Ｂ信号を基に第２の輝度信号を生成する第１の工程と、前記複数の第２の記録媒体の各々について、前記第１の工程で生成した前記第１の輝度信号と前記第２の輝度信号との差異を示す特徴量データを生成する第２の工程と、前記第２の工程で生成した前記特徴量データを、当該特徴量データに対応する前記第２の記録媒体を識別する情報と関連付けて記憶する第３の工程とを有する。
【００２０】
第１０の発明のデータ処理方法は、第１の記録媒体を複製して得られた複数の第２の記録媒体の各々について規定され、前記第１の記録媒体から読み出された第１のアナログ信号から得られた第１の輝度信号と、当該第２の記録媒体から読み出した第２のアナログ信号から得られた第２の輝度信号との差異を示す前記第１の特徴量データを基に、被検用の記録媒体が前記複数の第２の記録媒体の何れの前記第２の記録媒体の複製であるかを判定するデータ処理方法であって、被検信号から得られた第３の輝度信号と、前記第１の輝度信号との差異を示す第２の特徴量データを生成する第１の工程と、前記第１の特徴量データと前記第１の工程で生成した前記第２の特徴量データとを基に、前記被検用の記録媒体が前記複数の第２の記録媒体のうち何れの前記第２の記録媒体の複製であるか否かを判定する第２の工程とを有する。
【００２１】
第１１の発明のデータ処理方法は、第１の記録媒体から読み出された第１のアナログ信号から得られた第１のＲ，Ｇ，Ｂ信号に、前記第１のＢ信号に対して前記第１のＲ信号および前記第１のＧ信号に比べて高い重み付けを施す処理を行って第１の輝度信号を生成し、前記第１の記録媒体を複製して得られた複数の第２の記録媒体の各々について、当該第２の記録媒体から読み出した第２のアナログ信号から得られた第２のＲ，Ｇ，Ｂ信号に、前記第２のＢ信号に対して前記第２のＲ信号および前記第２のＧ信号に比べて高い重み付けを施す処理を行って第２の輝度信号を生成する第１の工程と、前記第１の工程で生成した第２の輝度信号の各々について、前記変換手段が生成した前記第１の輝度信号との差異を示す特徴量データを生成する第２の工程と、前記第２の工程で生成した前記特徴量データを、当該特徴量データに対応する前記第２の記録媒体を識別する情報と関連付けて記憶する第３の工程とを有する。
【００２２】
第１２の発明のデータ処理方法は、第１の記録媒体を複製して得られた複数の第２の記録媒体の各々について規定され、前記第１の記録媒体から読み出された第１のアナログ信号から得られた第１の輝度信号と、当該第２の記録媒体から読み出した第２のアナログ信号から得られた第２の輝度信号との差異を示す前記第１の特徴量データを基に、被検用の記録媒体が前記複数の第２の記録媒体の何れの前記第２の記録媒体の複製であるかを判定するデータ処理方法であって、被検信号から得られたＲ，Ｇ，Ｂ信号に、前記Ｂ信号に対して前記Ｒ信号および前記Ｇ信号に比べて高い重み付けを施す処理を行って被検用の輝度信号を生成する第１の工程と、前記第１の工程で生成した前記被検用の輝度信号と、前記第１の輝度信号との差異を示す第２の特徴量データを生成する第２の工程と、前記第１の特徴量データと前記処理手段が生成した第２の特徴量データとを基に、前記被検用の記録媒体が前記複数の第２の記録媒体のうち何れの前記第２の記録媒体の複製であるか否かを判定する第３の工程とを有する。
【発明の効果】
【００２３】
本発明によれば、所定のアナログ信号を記録した記録媒体が不正に複製された場合に、その不正な複製の元となった記録媒体を特定することができるデータ処理装置およびその方法を提供することができる。
【発明を実施するための最良の形態】
【００２４】
以下、本発明の実施の形態を図面を参照しながら説明する。
例えば、映画などのコンテンツを光学フィルムなどに記録して配給する場合に、図１に示すように、そのコンテンツのビデオおよびオーディオに関するアナログ信号を記憶したマスタフィルムＭＦを製作すると共に、そのマスタフィルムＭＦを複製装置２を用いて複製して複数の正規複製フィルムＣＦ１，ＣＦ２，ＣＦ３を製作する。
そして、上記複数の正規複製フィルムを、複数の劇場に配給する。
上述した正規複製フィルムに記憶されたアナログ信号は、フィルムの固有の記録特性および上記複製時に生じるノイズ信号の影響で、マスタフィルムに記録されたアナログ信号、並びに他の正規複製フィルムに記録されたアナログ信号と異なる特徴量を有している。
本実施形態では、配給元が、上記複数の正規複製フィルムを配給する前に、特徴登録装置を用いて、上記複数の正規複製フィルムの特徴量を示す特徴量データを登録する。
そして、配給後に、不正複製フィルムを発見した場合に、判定装置を用いて、当該不正複製フィルムを基に生成した特徴量データと、上記予め登録した特徴量データとを基に、不正複製フィルムが上記複数の正規複製フィルムのうち何れの複製であるかを特定する。
なお、本実施形態では、本発明の記録媒体として、光学フィルムなどのフィルムを例示するが、記録媒体に固有の記録特性および複製時に生じるノイズ信号の少なくとも一方により、記録されるアナログ信号が固有の特徴量を持つ記録媒体であれば、特に光学フィルムに限定されない。
【００２５】
以下、各実施形態の上記特徴登録装置および判定装置を説明する。
＜第１実施形態＞
本実施形態は、第１、第２、第７および第８の発明に対応した実施形態である。
【００２６】
〔特徴登録装置３の構成〕
図２は、本実施形態の特徴登録装置３の構成図である。
図２に示すように、特徴登録装置３は、例えば、スキャン部１０、Ａ／Ｄ変換部１１および特徴抽出部１２を有する。
また、特徴抽出部１２は、記憶装置４に特徴量データを登録する。
本実施形態において、特徴登録装置３および記憶装置４が第１の発明のデータ処理装置に対応している。
ここで、特徴抽出部１２が第１の発明の処理手段に対応し、記憶装置４が第１の発明の記憶手段に対応している。
【００２７】
スキャン部１０は、マスタフィルムＭＦ（本発明の第１の記録媒体）および正規複製フィルムＣＦ１，ＣＦ２，ＣＦ３（本発明の第２の記録媒体）からアナログ信号ＡＭ，Ａ１，Ａ２，Ａ３をそれぞれ読み出し、これらをＡ／Ｄ変換部１１に出力する。
Ａ／Ｄ変換部１１は、スキャン部１０から入力したアナログ信号ＡＭ，Ａ１，Ａ２，Ａ３をＡ／Ｄ変換してデジタル信号ＤＭ，Ｄ１，Ｄ２，Ｄ３をそれぞれ生成し、これらを特徴抽出部１２に出力する。
【００２８】
特徴抽出部１２は、例えば、図３に示す構成を有している。
特徴抽出部１２は、図３に示すように、演算部２１，２２，２３を有する。
演算部２１は、デジタル信号Ｄ１からデジタル信号ＤＭを減じて特徴量データＮ１を生成する。
ここで、特徴量データＮ１は、例えば、マスタフィルムＭＦを複製して正規複製フィルムＣＦ１を製作する際に生じたノイズ信号、並びにマスタフィルムＭＦと正規複製フィルムＣＦ１の固有の特性の差異に起因した特徴を有している。
演算部２２は、デジタル信号Ｄ２からデジタル信号ＤＭを減じて特徴量データＮ２を生成する。
ここで、特徴量データＮ２は、例えば、マスタフィルムＭＦを複製して正規複製フィルムＣＦ２を製作する際に生じたノイズ、並びにマスタフィルムＭＦと正規複製フィルムＣＦ２の固有の特性の差異に起因した特徴を有している。
演算部２３は、デジタル信号Ｄ３からデジタル信号ＤＭを減じて特徴量データＮ３を生成する。
ここで、特徴量データＮ３は、例えば、マスタフィルムＭＦを複製して正規複製フィルムＣＦ３を製作する際に生じたノイズ、並びにマスタフィルムＭＦと正規複製フィルムＣＦ３の固有の記録特性の差異に起因した特徴を有している。
特徴登録装置３は、例えば、演算部２１，２２，２３が生成した特徴量データＮ１，Ｎ２，Ｎ３を、それぞれ正規複製フィルムＣＦ１，ＣＦ２，ＣＦ３の識別データと対応付けて記憶装置４に書き込む。この際に、正規複製フィルムＣＦ１，ＣＦ２，ＣＦ３の配給先の識別データをさらに対応付けて記憶装置４に書き込んでもよい。
【００２９】
〔特徴登録装置３の動作例〕
先ず、スキャン部１０が、マスタフィルムＭＦおよび複製フィルムＣＦ１，ＣＦ２，ＣＦ３からアナログ信号ＡＭ，Ａ１，Ａ２，Ａ３をそれぞれ順に読み出し、これらをＡ／Ｄ変換部１１に順に出力する。
Ａ／Ｄ変換部１１は、スキャン部１０から入力したアナログ信号ＡＭ，Ａ１，Ａ２，Ａ３をＡ／Ｄ変換してデジタル信号ＤＭ，Ｄ１，Ｄ２，Ｄ３をそれぞれ生成し、これらを特徴抽出部１２に出力する。
そして、特徴抽出部１２は、デジタル信号Ｄ１からデジタル信号ＤＭを減じて特徴量データＮ１を生成し、これを記憶装置４に書き込む。
また、特徴抽出部１２は、デジタル信号Ｄ２からデジタル信号ＤＭを減じて特徴量データＮ２を生成し、これを記憶装置４に書き込む。
また、特徴抽出部１２は、デジタル信号Ｄ３からデジタル信号ＤＭを減じて特徴量データＮ３を生成し、これを記憶装置４に書き込む。
【００３０】
〔特徴検出装置６の構成〕
図４は、本実施形態の特徴検出装置６の構成図である。
図４に示すように、特徴検出装置６は、例えば、スキャン部３０、Ａ／Ｄ変換部３１、特徴抽出部３２および判定部３３を有する。
ここで、記憶装置４および特徴検出装置６が第２の発明のデータ処理装置に対応している。
ここで、記憶装置４が第２の発明の記憶手段に対応し、特徴抽出部３２が第２の発明の処理手段に対応し、判定部３３が第２の発明の判定手段に対応している。
スキャン部３０は、マスタフィルムＭＦおよび被検フィルムＣＦＣからアナログ信号ＡＭ，ＡＣをそれぞれ読み出し、これらをＡ／Ｄ変換部３１に出力する。
Ａ／Ｄ変換部３１は、スキャン部３０から入力したアナログ信号ＡＭ，ＡＣをＡ／Ｄ変換してデジタル信号ＤＭ，ＤＣをそれぞれ生成し、これらを特徴抽出部３２に出力する。
【００３１】
特徴抽出部３２は、例えば、デジタル信号ＤＣからデジタル信号ＤＭを減じて特徴量データＮＣを生成する。
ここで、特徴量データＮＣは、例えば、被検フィルムＣＦＣが前述した正規複製フィルムＣＦ１，ＣＦ２，ＣＦ３の何れかを複製して製作されたものである場合に、前述した特徴量データＮ１，Ｎ２，Ｎ３の特性をそれぞれ含んだものになる。
【００３２】
判定部３３は、図２および図３を用いて前述したように特徴登録装置３が記憶装置４に書き込んだ特徴量データＮ１，Ｎ２，Ｎ３を順に読み出して、特徴抽出部３２から入力した特徴量データＮＣとの相関を検出する。
そして、判定部３３は、特徴量データＮ１，Ｎ２，Ｎ３のなかに、特徴量データＮＣとの間の上記相関が所定の基準値以上となるノイズ信号がある場合に、当該ノイズ信号に対応する識別データが示す正規複製フィルムＣＦ１，ＣＦ２，ＣＦ３を複製して被検フィルムＣＦＣが製作されたと判定する。
なお、判定部３３は、上記相関としてＳＰＯＭＦによる相関検出を行う。
【００３３】
〔特徴検出装置６の動作例〕
特徴検出装置６は、不正複製の疑いのある被検フィルムＣＦＣについて以下の処理を行う。
先ず、スキャン部３０は、マスタフィルムＭＦおよび被検フィルムＣＦＣからアナログ信号ＡＭ，ＡＣをそれぞれ順に読み出し、これらをＡ／Ｄ変換部３１に出力する。
Ａ／Ｄ変換部３１は、スキャン部３０から入力したアナログ信号ＡＭ，ＡＣをＡ／Ｄ変換してデジタル信号ＤＭ，ＤＣをそれぞれ生成し、これらを特徴抽出部３２に出力する。
次に、特徴抽出部３２は、例えば、デジタル信号ＤＣからデジタル信号ＤＭを減じて特徴量データＮＣを生成する。
次に、判定部３３は、図２および図３を用いて前述したように特徴登録装置３が記憶装置４に書き込んだ特徴量データＮ１，Ｎ２，Ｎ３を順に読み出して、特徴抽出部３２から入力した特徴量データＮＣとの相関を検出する。
そして、判定部３３は、特徴量データＮ１，Ｎ２，Ｎ３のなかに、特徴量データＮＣとの間の上記相関が所定の基準値以上となるノイズ信号がある場合に、当該ノイズ信号に対応する識別データが示す正規複製フィルムＣＦ１，ＣＦ２，ＣＦ３を複製して被検フィルムＣＦＣが製作されたと判定する。
【００３４】
以上説明したように、本実施形態によれば、フィルムの固有の記録特性および記録時に生じるノイズ信号を利用して、被検フィルムが複数の正規複製フィルムのうち、いずれの正規複製フィルムを複製して製作されたかを特定することができる。そのため、不正行為者を容易に特定できる。
【００３５】
＜第２実施形態＞
本実施形態は、図２に示す特徴抽出部１２および図４に示す特徴抽出部３２の構成が、第１実施形態とは異なる。
それ以外の構成は、第１実施形態の場合と同じである。
図５は、本実施形態の特徴抽出部１２ａの構成図である。
図５に示すように、特徴抽出部１２ａは、例えば、フーリエ変換部４１、絶対値演算部４２、演算部４３，４４，４５を有する。
【００３６】
フーリエ変換部４１は、図２に示すＡ／Ｄ変換部１１から入力したデジタル信号ＤＭ，Ｄ１，Ｄ２，Ｄ３をフーリエ変換してそれぞれ周波数信号ＦＭ，Ｆ１，Ｆ２，Ｆ３を生成し、これらを絶対値演算部４２に出力する。
絶対値演算部４２は、フーリエ変換部４１から入力した周波数信号ＦＭ，Ｆ１，Ｆ２，Ｆ３の絶対値ＳＭ，Ｓ１，Ｓ２，Ｓ３をそれぞれ算出する。
演算部４３は、絶対値Ｓ１から絶対値ＳＭを減じて特徴量データＮ１を生成する。
演算部４４は、絶対値Ｓ２から絶対値ＳＭを減じて特徴量データＮ２を生成する。
演算部４５は、絶対値Ｓ３から絶対値ＳＭを減じて特徴量データＮ３を生成する。
本実施形態では、上述したように、デジタル信号ＤＭ，Ｄ１，Ｄ２，Ｄ３をフーリエ変換した後に絶対値化し、その結果を基に特徴量データＮ１，Ｎ２，Ｎ３を生成する。
そのため、スキャン部１０による読み取りの際に生じる位置ずれの影響のない特徴量データＮ１，Ｎ２，Ｎ３を生成できる。このような位置ずれは、フィルムをスキャン部１０に挿入した状態での位置ズレ、自動補償機能、フィルムの曲がり状態によるフォーカス誤差、スキャナー内部の白色雑音などに起因するものである。
以下、スキャン部１０による読み取りの際に生じる位置ずれの影響のない特徴量データＮ１，Ｎ２，Ｎ３を生成できる理由を説明する。
【００３７】
例えば、正規複製フィルムＣＦ１にはデジタル信号Ｄ１＿０が記憶されており、スキャン部１０が複製フィルムＣＦ１を３回、読み取ってＡ／Ｄ変換してデジタル信号Ｄ１＿１〜Ｄ１＿３が得られたとする。
ここで、上記読み取りによるデジタル信号の位置ずれを見るために、デジタル信号Ｄ１（ｘ，ｙ）とする。また、上記位置ずれがＡ／Ｄ変換部１１のサンプリング周期の定数倍であると仮定する。
この場合に、
デジタル信号Ｄ１＿１（ｘ，ｙ）＝デジタル信号Ｄ１＿０（ｘ＋Δｘ１，ｙ＋Δｙ１）、
デジタル信号Ｄ１＿２（ｘ，ｙ）＝デジタル信号Ｄ１＿０（ｘ＋Δｘ２，ｙ＋Δｙ２）、
デジタル信号Ｄ１＿３（ｘ，ｙ）＝デジタル信号Ｄ１＿０（ｘ＋Δｘ３，ｙ＋Δｙ３）となる。
【００３８】
ここで、フーリエ変換をＦで示し、その入力をｘ（ｔ）で示すと、下記式（１）が成り立つ。
【００３９】
【数１】
2005151503.tif 000003
【００４０】
上記式（１）から、下記式（２）が成り立つ。
【００４１】
【数２】
2005151503.tif 000004
【００４２】
従って、下記（３）が成り立つ。
（数３）
｜Ｆ｛Ｄ１＿１（ｘ，ｙ）｝｜
＝｜Ｆ｛Ｄ１＿２（ｘ，ｙ）｝｜
＝｜Ｆ｛Ｄ１＿３（ｘ，ｙ）｝｜                  …（３）
【００４３】
すなわち、上述した特徴量データＮ１．Ｎ２，Ｎ３には、スキャン部１０による読み取りの際に生じる位置ずれの影響は生じない。
【００４４】
本実施形態において、図４に示す特徴抽出部３２ａは、例えば、図６に示すように構成される。
すなわち、特徴抽出部３２ａは、例えば、フーリエ変換部４６、絶対値演算部４７および演算部４８を有する。
フーリエ変換部４６は、図４に示すＡ／Ｄ変換部３１から入力したデジタル信号ＤＭ，ＤＣをフーリエ変換してそれぞれ周波数信号ＦＭ，ＦＣを生成し、これらを絶対値演算部４７に出力する。
絶対値演算部４７は、フーリエ変換部４６から入力した周波数信号ＦＭ，ＦＣの絶対値ＳＭ，ＳＣをそれぞれ算出する。
演算部４８は、絶対値ＳＣから絶対値ＳＭを減じて特徴量データＮＣを生成する。
【００４５】
本実施形態の特徴登録装置３の動作は、特徴抽出部１２ａの動作を除いて第１実施形態の特徴登録装置３の動作と同じである。
本実施形態の特徴検出装置６の動作は、特徴抽出部３２ａの動作を除いて第１実施形態の特徴検出装置６の動作と同じである。
【００４６】
なお、本実施形態において、図２に示すスキャン部１０および図４に示すスキャン部３０による読み出し（スキャン）動作によって、アナログ信号ＡＭ，Ａ１，Ａ２，Ａ３，ＡＣに生じる位置ずれやノイズが、特徴検出装置６の判定部３３における判定に与える影響を検証した結果、以下のようになった。
ここでは、図７に示すように、マスタフィルムＭＦから９本の正規複製フィルムＣＦ１〜９が製作されている。
スキャン部１０は、上記９本の正規複製フィルムＣＦ１〜９の各々について、１０回、読み取りを行い、アナログ信号Ａ１＿１〜１０，Ａ２＿１〜１０，Ａ３＿１〜１０，Ａ４＿１〜１０，Ａ５＿１〜１０，Ａ６＿１〜１０，Ａ７＿１〜１０，Ａ８＿１〜１０，Ａ９＿１〜１０を生成する。
また、特徴抽出部１２ａが、アナログ信号Ａ１＿１〜１０，Ａ２＿１〜１０，Ａ３＿１〜１０，Ａ４＿１〜１０，Ａ５＿１〜１０，Ａ６＿１〜１０，Ａ７＿１〜１０，Ａ８＿１〜１０，Ａ９＿１〜１０の各々に対応した図８に示す特徴量データＮ１＿１〜１０，Ｎ２＿１〜１０，Ｎ３＿１〜１０，Ｎ４＿１〜１０，Ｎ５＿１〜１０，Ｎ６＿１〜１０，Ｎ７＿１〜１０，Ｎ８＿１〜１０，Ｎ９＿１〜１０を生成する。
【００４７】
図４に示す被検フィルムＣＦＣとして正規複製フィルムＣＦ９を用い、正規複製フィルムＣＦ９の特徴量データＮＣと、上述した特徴量データＮ１＿１〜１０，Ｎ２＿１〜１０，Ｎ３＿１〜１０，Ｎ４＿１〜１０，Ｎ５＿１〜１０，Ｎ６＿１〜１０，Ｎ７＿１〜１０，Ｎ８＿１〜１０，Ｎ９＿１〜１０との相関値を判定部３３で検出すると、図９に示すようになった。
図９に示すように、正規複製フィルムＣＦ９の特徴量データＮＣと特徴量データＮ９＿１〜１０との間の全ての相関値は、特徴量データＮＣと他の特徴量データＮ１＿１〜１０，Ｎ２＿１〜１０，Ｎ３＿１〜１０，Ｎ４＿１〜１０，Ｎ５＿１〜１０，Ｎ６＿１〜１０，Ｎ７＿１〜１０，Ｎ８＿１〜１０との相関値に比べて十分に高くなった。
すなわち、図２に示すスキャン部１０および図４に示すスキャン部３０による読み出し（スキャン）動作によって、アナログ信号ＡＭ，Ａ１，Ａ２，Ａ３，ＡＣに生じる位置ずれやノイズが、特徴検出装置６の判定部３３における判定に与える影響は殆どない。
【００４８】
＜第３実施形態＞
本実施形態は、第３、第４、第９および第１０の発明に対応した実施形態である。
〔特徴登録装置３ｂ〕
図１０は、本実施形態の特徴登録装置３ｂの構成図である。
図１０に示すように、特徴登録装置３ｂは、例えば、インタフェース５１、輝度生成部５２および特徴抽出部５３を有する。
特徴登録装置３ｂおよび記憶装置４が第３の発明のデータ処理装置に対応している。
ここで、輝度生成部５２が第３の発明の輝度生成手段に対応し、特徴抽出部５３が第３の発明の処理手段に対応し、記憶装置４が第３の発明の記憶手段に対応している。
【００４９】
インタフェース５１は、マスタフィルムＭＦから読み出されたアナログ信号をデジタル化したＲ，Ｇ，Ｂのデジタル信号Ｄ０Ｍを入力する。
インタフェース５１は、複製フィルムＣＦ１から読み出されたアナログ信号をデジタル化したＲ，Ｇ，Ｂのデジタル信号Ｄ０１を入力する。
インタフェース５１は、複製フィルムＣＦ２から読み出されたアナログ信号をデジタル化したＲ，Ｇ，Ｂのデジタル信号Ｄ０２を入力する。
インタフェース５１は、複製フィルムＣＦ３から読み出されたアナログ信号をデジタル化したＲ，Ｇ，Ｂのデジタル信号Ｄ０３を入力する。
【００５０】
輝度生成部５２は、Ｒ，Ｇ，Ｂのデジタル信号Ｄ０Ｍの輝度信号Ｄ１Ｍを生成する。
輝度生成部５２は、Ｒ，Ｇ，Ｂのデジタル信号Ｄ０１の輝度信号Ｄ１１を生成する。
輝度生成部５２は、Ｒ，Ｇ，Ｂのデジタル信号Ｄ０２の輝度信号Ｄ１２を生成する。
輝度生成部５２は、Ｒ，Ｇ，Ｂのデジタル信号Ｄ０３の輝度信号Ｄ１３を生成する。
【００５１】
特徴抽出部５３は、図３に示す特徴抽出部１２あるいは図５に示す特徴抽出部１２ａと同じ構成を有し、デジタル信号ＤＭ，Ｄ１，Ｄ２，Ｄ３に代えて、輝度生成部５２からの輝度信号Ｄ１Ｍ，Ｄ１１，Ｄ１２，Ｄ１３について処理を行う。
【００５２】
〔特徴検出装置６ｂ〕
図１１は、本実施形態の特徴検出装置６ｂの構成図である。
図１１に示すように、特徴検出装置６ｂは、例えば、インタフェース５５、輝度生成部５６、特徴抽出部５７および判定部５８を有する。
特徴検出装置６ｂおよび記憶装置４が第４の発明のデータ処理装置に対応している。
ここで、記憶装置４が第４の発明の記憶手段に対応し、特徴抽出部５３が第４の発明の処理手段に対応し、判定部５８が第４の発明の判定手段に対応している。
インタフェース５５は、マスタフィルムＭＦから読み出されたアナログ信号をデジタル化したＲ，Ｇ，Ｂのデジタル信号Ｄ０Ｍを入力する。
インタフェース５５は、被検フィルムＣＦＣから読み出されたアナログ信号をデジタル化したＲ，Ｇ，Ｂのデジタル信号Ｄ０Ｃを入力する。
【００５３】
輝度生成部５６は、Ｒ，Ｇ，Ｂのデジタル信号Ｄ０Ｍの輝度信号Ｄ１Ｍを生成する。
輝度生成部５６は、Ｒ，Ｇ，Ｂのデジタル信号Ｄ０Ｃの輝度信号Ｄ１Ｃを生成する。
【００５４】
特徴抽出部５７は、図４に示す特徴抽出部３２，３２ａと同じ構成を有し、デジタル信号ＤＭ，ＤＣに代えて、輝度生成部５６からの輝度信号Ｄ１Ｍ，Ｄ１Ｃについて処理を行う。
本実施形態によっても第１実施形態と同様の効果が得られる。
【００５５】
＜第４実施形態＞
本実施形態は、第５、第６、第１１および第１２の発明に対応した実施形態である。
〔特徴登録装置３ｃ〕
図１２は、本実施形態の特徴登録装置３ｃの構成図である。
図１２に示すように、特徴登録装置３ｃは、例えば、インタフェース５１、変換部６２および特徴抽出部６３を有する。
特徴登録装置３ｃおよび記憶装置４が第５の発明のデータ処理装置に対応している。
ここで、変換部６２が第５の発明の変換手段に対応し、特徴抽出部６３が第５の発明の処理手段に対応し、記憶装置４が第５の発明の記憶手段に対応している。
図１２において、図１０と同じ符号を付したインタフェース５１は、第３実施形態で説明したものと同じである。
【００５６】
変換部６２は、図１３に示すように、Ｒ，Ｇ，Ｂのデジタル信号Ｄ０ｘ（ｘ＝Ｍ，１，２，３）を入力し、そのＲ信号ＤＯｘ＿Ｒに対して係数ωＲを乗じ、Ｇ信号ＤＯｘ＿Ｇに対して係数ωＧを乗じ、Ｂ信号ＤＯｘ＿Ｂに対して係数ωＢを乗じてデジタル信号（輝度信号）Ｄ２ｘを生成する。
ここで、本実施形態では、ωＢ＞ωＲ，ωＧとする。
すなわち、Ｂ信号に対して、Ｒ信号およびＧ信号よりも高い重み付けを与える。
変換部６２は、デジタル信号Ｄ０Ｍ，Ｄ０１，Ｄ０２，Ｄ０３を基に、デジタル信号Ｄ２Ｍ，Ｄ２１，Ｄ２２，Ｄ２３を生成し、これらを特徴抽出部６３に出力する。
特徴抽出部６３は、図３に示す特徴抽出部１２あるいは図５に示す特徴抽出部１２ａと同じ構成を有し、デジタル信号ＤＭ，Ｄ１，Ｄ２，Ｄ３に代えて、変換部６２からのデジタル信号Ｄ２Ｍ，Ｄ２１，Ｄ２２，Ｄ２３について処理を行う。
【００５７】
〔特徴検出装置６ｃ〕
図１４は、本実施形態の特徴検出装置６ｃの構成図である。
図１４に示すように、特徴検出装置６ｃは、例えば、インタフェース７０、変換部７１、特徴抽出部７２および判定部７３を有する。
特徴検出装置６ｃおよび記憶装置４が第６の発明のデータ処理装置に対応している。
ここで、変換部７１が第６の発明の変換手段に対応し、特徴抽出部７２が第６の発明の処理手段に対応し、判定部７３が第６の発明の判定手段に対応している。
インタフェース７０は、マスタフィルムＭＦから読み出されたアナログ信号をデジタル化したＲ，Ｇ，Ｂのデジタル信号Ｄ０Ｍを入力する。
インタフェース７０は、被検フィルムＣＦＣから読み出されたアナログ信号をデジタル化したＲ，Ｇ，Ｂのデジタル信号Ｄ０Ｃを入力する。
【００５８】
変換部７１は、前述した変換部６２と同様に、Ｒ，Ｇ，Ｂのデジタル信号Ｄ０ｘ（ｘ＝ＭまたはＣ）のＲ信号Ｄ３ｘ＿Ｒに対してωＲを乗じ、Ｇ信号Ｄ３ｘ＿Ｇに対してωＧを乗じ、Ｂ信号Ｄ３ｘ＿Ｂに対してωＢを乗じてデジタル信号（輝度信号）Ｄ４ｘを生成する。
【００５９】
特徴抽出部７２は、例えば、デジタル信号Ｄ４Ｃからデジタル信号Ｄ４Ｍを減じて特徴量データＮＣを生成する。
【００６０】
判定部７３は、図１２を用いて説明した特徴登録装置３ｃが記憶装置４に書き込んだ特徴量データＮ１，Ｎ２，Ｎ３を順に読み出して、特徴抽出部７２から入力した特徴量データＮＣとの相関を検出する。
そして、判定部７３は、特徴量データＮ１，Ｎ２，Ｎ３のなかに、特徴量データＮＣとの間の上記相関が所定の基準値以上となるノイズ信号がある場合に、当該ノイズ信号に対応する識別データが示す正規複製フィルムＣＦ１，ＣＦ２，ＣＦ３を複製して被検フィルムＣＦＣが製作されたと判定する。
なお、判定部７３は、上記相関としてＳＰＯＭＦによる相関検出を行う。
【００６１】
本実施形態では、上述したように、デジタル信号Ｄ０ｘのＢ信号に対してＲ信号およびＧ信号に比べて高い重み付けを与えることで、図１４に示す判定部７３における判定精度を高めることができる。
すなわち、Ｒ，Ｇ信号に比べてフィルム固有の特性を生じやすいＢ信号の重み付けを高くすることで、図１４に示す判定部７３における判定精度を高めることができる。
【００６２】
図１５は、本実施形態において、Ｂ信号について着目して図１４の判定部７３が検出した相関値を、図７〜図９で説明した条件で検出した場合の結果を示す図である。
図１６は、本実施形態において、Ｒ信号について着目して図１４の判定部７３が検出した相関値を、図７〜図９で説明した条件で検出した場合の結果を示す図である。
図１７は、本実施形態において、Ｇ信号について着目して図１４の判定部７３が検出した相関値を、図７〜図９で説明した条件で検出した場合の結果を示す図である。
図１５〜図１７に示すように、正規複製フィルムＣＦ９を被検フィルムＣＦＣとした場合に、Ｂ信号についての判定部７３の相関値は、Ｒ信号およびＧ信号に比べて安定して高くなる。
これにより、Ｂ信号に対して、Ｒ信号およびＧ信号より高い重みを付けることで、判定部７３の判定精度を高められる。
【００６３】
本発明は上述した実施形態に限定されない。
上述した実施形態では、本発明の記録媒体として光学フィルムを例示したが、磁気フィルム、並びにフィルム以外の記録媒体であってもよい。
また、図４、図１１および図１４の判定装置では、披検フィルムから読み出された信号を基に判定を行う場合を例示したが、ネットワークなどを介して受信した信号を本発明の披検信号として用いて判定を行ってもよい。また、本発明の披検信号は、アナログおよびデジタルの何れであってもよい。
【産業上の利用可能性】
【００６４】
本発明は、所定のアナログ信号を記録した記録媒体が不正に複製された場合に、その不正な複製の元となった記録媒体を特定するためのデータ処理システムに適用できる。
【図面の簡単な説明】
【００６５】
【図１】図１は、マスタフィルムから複数の正規複製フィルムを製作する形態を説明するための図である。
【図２】図２は、本発明の第１実施形態の特徴登録装置の構成図である。
【図３】図３は、図２に示す特徴抽出部の構成図である。
【図４】図４は、本発明の第１実施形態の特徴検出装置の構成図である。
【図５】図５は、本発明の第２実施形態の特徴登録装置の特徴抽出部の構成図である。
【図６】図６は、本発明の第２実施形態の特徴検出装置の特徴抽出部の構成図である。
【図７】図７は、本発明の第２実施形態の効果を説明するための図である。
【図８】図８は、本発明の第２実施形態の効果を説明するための図である。
【図９】図９は、本発明の第２実施形態の効果を説明するための図である。
【図１０】図１０は、本発明の第３実施形態の特徴登録装置の構成図である。
【図１１】図１１は、本発明の第３実施形態の特徴検出装置の構成図である。
【図１２】図１２は、本発明の第４実施形態の特徴登録装置の構成図である。
【図１３】図１３は、図１２に示す変換部の構成図である。
【図１４】図１４は、本発明の第４実施形態の特徴検出装置の構成図である。
【図１５】図１５は、本発明の第４実施形態において、Ｂ信号について着目して図１４の判定部が検出した相関値を、図７〜図９で説明した条件で検出した場合の結果を示す図である。
【図１６】図１６は、本発明の第４実施形態において、Ｇ信号について着目して図１４の判定部が検出した相関値を、図７〜図９で説明した条件で検出した場合の結果を示す図である。
【図１７】図１７は、本発明の第４実施形態において、Ｒ信号について着目して図１４の判定部が検出した相関値を、図７〜図９で説明した条件で検出した場合の結果を示す図である。
【符号の説明】
【００６６】
２…撮像装置、ＭＦ…マスタフィルム、ＣＦ１，ＣＦ２，ＣＦ３…複製フィルム、３，３ｂ，３ｃ…特徴登録装置、４…記憶装置、６，６ｂ，６ｃ…判定装置、１０…スキャン部、１１…Ａ／Ｄ変換部、１２，１２ａ…特徴抽出部、２１，２２，２３…演算部、６…特徴検出装置、３０…スキャン部、３１…Ａ／Ｄ変換部、３２，３２ａ…特徴抽出部、３３…判定部、４１…フーリエ変換部、４２…絶対値演算部、４３，４４，４５…演算部、４６…フーリエ変換部、４７…絶対値演算部、４８…演算部、５１…インタフェース、５２…変換部、５３…特徴抽出部、６２…変換部、７０…インタフェース、７１…変換部、７２…特徴抽出部７２、７３…判定部
【図１】
2005151503.tif 000005
【図２】
2005151503.tif 000006
【図３】
2005151503.tif 000007
【図４】
2005151503.tif 000008
【図５】
2005151503.tif 000009
【図６】
2005151503.tif 000010
【図７】
2005151503.tif 000011
【図８】
2005151503.tif 000012
【図９】
2005151503.tif 000013
【図１０】
2005151503.tif 000014
【図１１】
2005151503.tif 000015
【図１２】
2005151503.tif 000016
【図１３】
2005151503.tif 000017
【図１４】
2005151503.tif 000018
【図１５】
2005151503.tif 000019
【図１６】
2005151503.tif 000020
【図１７】
2005151503.tif 000021